(57)【要約】【課題】パネルを自立させることができ、容易に転倒したり移動したりせず、パネルの取付けが容易であり、製作コストが安価なパネル用支持脚を提供する。【解決手段】脚本体１０と溝形のパネル保持部５０とを備える。脚本体１０が山形を形作る左右一対の板状の脚体１１，２１を有する。脚体１１，２１の前後２箇所のコーナー部に着地部１３，２３を具備させる。パネル保持部５０が、左右一対の板状の溝壁部５１，６１と溝底部５２とを有する。パネル保持部５０の溝底部５２が着地部１３，２３よりも上位に位置する。パネル保持部５０に差し込まれたパネル２００の下端部２１０とパネル保持部５０との連結手段７０を備える。脚本体１０及びパネル保持部５０を、板金製部材で形成する。【選択図】図５
0003228613.tif 000002
【実用新案登録請求の範囲】
【請求項１】
脚本体とこの脚本体に設けられてパネルの下端部を抜き差し可能な溝形のパネル保持部とを備えたパネル用支持脚であって、
上記脚本体が左右一対の板状の脚体を有し、これらの脚体それぞれの下端縁の中間部を凹入形状に形成することによって、これらの脚体の前後２箇所のコーナ部が上記下端縁よりも下方に突出する着地部とされ、
上記パネル保持部が、間隔を隔てて相対向する左右一対の起立姿勢の板状の溝壁部と、これらの溝壁部の下端縁の相互間に亘る溝底部とを有し、一方側の上記溝壁部の上端縁が一方側の上記脚体の上端部に連設され、かつ、他方側の上記溝壁部の上端縁が他方側の上記脚体の上端部に連設されていると共に、このパネル保持部の上記溝底部が上記着地部よりも上位に位置し、
上記パネル保持部に差し込まれたパネルの下端部と当該パネル保持部との連結手段を備えることを特徴とするパネル用支持脚。
【請求項２】
上記脚本体が、左右一対の板状の上記脚体によって側面視山形に形作られていて、それらの板状の脚体のそれぞれが、山形の頂部から下拡がりに傾斜している請求項１に記載したパネル用支持脚。
【請求項３】
上記連結手段が、上記パネル保持部に差し込まれたパネルの下端部及び一方側又は他方側の上記溝壁部のうちの１つに設けられた孔部に挿通される手動操作用把手を有する締付けねじと、一方側又は他方側の上記溝壁部のうちの他の１つに具備されて上記締付けねじがねじ込まれるねじ孔と、によって構成されている請求項１又は請求項２に記載したパネル用支持脚。
【請求項４】
一方側の上記脚体及び一方側の上記溝壁部と、他方側の上記脚体及び他方側の上記溝壁部と、のそれぞれが、一体製作された各別の板金製部材でなり、
上記溝底部が一方側の上記溝壁部に一体に連設された折曲げ片によって形成されている請求項１ないし請求項３のいずれか１項に記載したパネル用支持脚。
【請求項５】
上記脚本体及び上記パネル保持部が、１枚の金属板を折り曲げることによって形成された板金製部材でなる請求項１ないし請求項３のいずれか１項に記載したパネル用支持脚。
【考案の詳細な説明】
【技術分野】
【０００１】
本考案は、パネル用支持脚、特に、脚本体とこの脚本体に設けられてパネルの下端部を抜き差し可能な溝形のパネル保持部とを備えたパネル用支持脚に関する。
【背景技術】
【０００２】
所要の情報を表示したパネルを催し会場や展示場などの入口に自立状態で設置して催しや展示内容を表示したり、様々な標語や標識などを表示したパネルを自立状態で設置して必要な情報を発信したりすることが多々行われている。また、パネルを自立させる手段についても様々な提案が従来よりなされている（たとえば、特許文献１、特許文献２参照）。たとえば、特許文献１によると、基台に設けたスリットにポスターを装着した矩形のフレーム枠の下端部を差し込み、基台に垂直に突き立てた垂直ボルトでフレーム枠の下端部を基台に締結することによって、フレーム枠を自立させることが提案されている。また、特許文献２によると、表示パネルの裏面側の下端部にパネル立てを取り付け、このパネル立てによって表示パネルを裏側から支えて自立させることが提案されている。
【先行技術文献】
【特許文献】
【０００３】
【特許文献１】特開２０２０−３５４３号公報
【特許文献２】実登第３１７２６７３号公報
【考案の概要】
【考案が解決しようとする課題】
【０００４】
ところで、イベント会場や展示場、通行路などの案内板や標識としての役割を担うパネルを自立させることに用いるパネル用支持脚にとっては、人が押したときの外力やある程度の風圧を受けたときなどにもパネルが容易に転倒したり移動したりしないこと、パネルをがたつきなく設置したりパネルの自立姿勢を確実に保持させたりすることが可能であること、などのほか、パネルの取付けが容易であること、製作コストができるだけ安価であること、運搬が容易であること、などが要求される。
【０００５】
本考案は、以上の状況に鑑みてなされたものであり、上掲の諸要求などに対処しやすいパネル用支持脚を提供することを目的とする。、
【課題を解決するための手段】
【０００６】
本考案に係るパネル用支持脚は、脚本体とこの脚本体に設けられてパネルの下端部を抜き差し可能な溝形のパネル保持部とを備えている。そして、上記脚本体が、左右一対の板状の脚体を有し、これらの脚体それぞれの下端縁の中間部を凹入形状に形成することによって、これらの脚体の前後２箇所のコーナー部が上記下端縁よりも下方に突出する着地部とされている。また、上記パネル保持部が、間隔を隔てて相対向する左右一対の起立姿勢の板状の溝壁部と、これらの溝壁部の下端縁の相互間に亘る溝底部とを有し、一方側の上記溝壁部の上端縁が一方側の上記脚体の上端部に連設され、かつ、他方側の上記溝壁部の上端縁が他方側の上記脚体の上端部に連設されていると共に、このパネル保持部の上記溝底部が上記着地部よりも上位に位置している。さらに、上記パネル保持部に差し込まれたパネルの下端部と当該パネル保持部との連結手段を備える。
【０００７】
パネル用支持脚がこのように構成されていると、脚本体の左右一対の脚体が板状であることにより、脚体が柱状である場合に比べて、脚本体の重量を増加させて設置状態を安定させやすくなる。また、左右一対の脚体のそれぞれの前後２箇所のコーナー部が下方に突出する着地部とされていることにより、平坦な床面に対しては、脚本体が４点でがたつきなく着地して設置状態が安定する。一方、パネル保持部に差し込まれたパネルの下端部が、左右一対の起立姿勢の板状の溝壁部によって挟まれた状態で溝底部によって支えられ、しかも、連結手段によって当該パネル保持部に連結されるので、パネルががたつきなく脚本体に取り付けられ、パネルの自立姿勢も確実に保持される。さらに、パネル保持部の溝底部が着地部よりも上位に位置している、という構成を採用したことにより、パネルの重量による下向き荷重がパネル保持部を下方に変位させる作用を発揮することになり、その結果、左右一対の脚体が左右一対の溝壁部を押し付けるように作用してそれらの溝壁部がパネルの下端部を挟圧することになる。したがって、このことによっても、パネルががたつきなく脚本体に取り付けられ、パネルの自立姿勢も確実に保持されるようになる。
【０００８】
本考案では、上記脚本体が、左右一対の板状の上記脚体によって側面視山形に形作られていて、それらの板状の脚体のそれぞれが、山形の頂部から下拡がりに傾斜している、という構成を採用することができ、これによれば、上記した設置状態の安定性を向上させやすくなるだけでなく、パネルの自立姿勢も確実に保持されるという作用が向上する。
【０００９】
本考案では、上記連結手段が、上記パネル保持部に差し込まれたパネルの下端部及び一方側又は他方側の上記溝壁部のうちの１つに設けられた孔部に挿通される手動操作用把手を有する締付けねじと、一方側又は他方側の上記溝壁部のうちの他の１つに具備されて上記締付けねじがねじ込まれるねじ孔と、によって構成されていることが望ましい。これによれば、特別な工具を使わずに連結手段を扱うことが可能になる。
【００１０】
本考案では、一方側の上記脚体及び一方側の上記溝壁部と、他方側の上記脚体及び他方側の上記溝壁部と、のそれぞれが、一体製作された各別の板金製部材でなり、上記溝底部が一方側の上記溝壁部に一体に連設された折曲げ片によって形成されている、という構成を採用することが可能である。これによれば、２つの板金製部材をコンパクトに重ね合わせて運搬することが可能になるという利便性が得られる。また、左右一対の溝壁部の相互間隔をパネルの下端部の厚さ寸法に見合う寸法に定めやすくなる。
【００１１】
本考案では、上記脚本体及び上記パネル保持部が、１枚の金属板を折り曲げることによって形成された板金製部材でなる、という構成を採用することも可能であり、これによれば、当該パネル用支持脚を板金製部材で安価に製作することが可能になる。
【考案の効果】
【００１２】
本考案によれば、脚本体とこの脚本体に設けられてパネルの下端部を抜き差し可能な溝形のパネル保持部とを備えたパネル用支持脚に関して、人が押したときの外力やある程度の風圧を受けときなどにもパネルが容易に転倒したり移動したりしないこと、パネルをがたつきなく設置したりパネルの自立姿勢を確実に保持させたりすることが可能であること、パネルの取付けが容易であること、製作コストができるだけ安価であること、運搬が容易であること、などの諸要求に対処しやすくなるという効果が奏される。
【図面の簡単な説明】
【００１３】
【図１】本考案の実施形態に係るパネル用支持脚の基本的構成をその使用状態と共に例示した概略斜視図である。
【図２】第１具体例の脚本体の分解斜視図である。
【図３】パネルの一部省略正面図である。
【図４】脚体の説明図である。
【図５】第１具体例に係るパネル用支持脚の使用状態の部分側面図である。
【図６】作用説明図である。
【図７】図５のＶＩＩ部拡大断面図である。
【図８】２つの板金製部材を重ね合わせた状態の側面図である。
【図９】第２具体例に係るパネル用支持脚の使用状態の部分側面図である。
【考案を実施するための形態】
【００１４】
図１は本考案に係るパネル用支持脚１００の基本的構成をその使用状態と共に例示した概略斜視図である。図例のパネル用支持脚１００は、脚本体１０とこの脚本体１０に設けられてパネル２００の下端部２１０を抜き差し可能な溝形のパネル保持部５０とを備えている。パネル２００の形状は縦長の正面視矩形であり、その下端部２１０が溝形のパネル保持部５０に差し込まれていて、図示していない連結手段（後述する）によって脚本体１０に連結されている。
【００１５】
以下の説明では、図１に示した基本的構成を備えるパネル用支持脚１００の実施形態として、２つの板金製部材を組み立てることによって構成される第１具体例に係るパネル用支持脚１００と、１つの板金製部材のみによって構成される第２具体例に係るパネル用支持脚１００と、の２種類を説明する。そして、第１具体例を図２及び図４〜図８に示し、第２具体例を図９に示す。また、パネル２００の形状を図３に示してある。
【００１６】
［第１具体例］
図２は第１具体例の脚本体１０の分解斜視図、図３はパネル２００の一部省略正面図、図４は板状の脚体１１，２１を板面に対して垂直方向から見て示した説明図、図５は第１具体例に係るパネル用支持脚の使用状態の部分側面図、図６は作用説明図、図７は図５のＶＩＩ部拡大断面図、図８は２つ板金製部材を重ね合わせた状態の側面図である。
【００１７】
第１具体例に係るパネル用支持脚１００は、図５に示したように、２つの板金製部材Ａ，Ａ’を組み合わせることによって構成されている。そして、２つの板金製部材Ａ，Ａ’を組み合わせることによって構成されたパネル用支持脚１００が、脚本体１０とパネル保持部５０とを備えている。
【００１８】
図５に示した２つの板金製部材Ａ，Ａ’の組み合わせ状態において、脚本体１０は、左右一対の傾斜した板状の脚体１１，２１を有している。図２又は図４に示したように、これらの脚体１１，２１は、それぞれの下端縁１２，２２の中間部を凹入形状に形成することによって、これらの脚体１１，２１の前後２箇所のコーナー部が上記下端縁１２，２２よりも下方に突出する着地部１３，２３とされている。これに対し、図５又は図７に示したように、溝形のパネル保持部５０が、間隔を隔てて相対向する左右一対の起立姿勢の板状の溝壁部５１，６１と、これらの溝壁部５１，６１の下端縁の相互間に亘る溝底部５２とを有している。そして、一方側の溝壁部５１の上端縁が一方側の上記脚体１１の上端部に折り曲げ箇所を介して連設され、かつ、他方側の溝壁部６１の上端縁が他方側の上記脚体２１の上端部に折り曲げ箇所を介して連設されている。また、このパネル保持部５０の溝底部５２が着地部１３，２３よりも上位に位置している。
【００１９】
ここで、一方側の板金製部材Ａは、傾斜した一方側の板状の脚体１１と一方側の板状の溝壁部５１とを一体に有しているのに対して、他方側の板金製部材Ａ’は、傾斜した他方方側の板状の脚体２１と他方側の板状の溝壁部６１とを一体に有している。そして、脚本体１０が左右一対の傾斜した板状の脚体１１，２１によって側面視山形に形作られていて、それらの板状の脚体１１，２１のそれぞれが、山形の頂部から下拡がりに傾斜している。また、溝形のパネル保持部５０の溝底部５２は、一方側の溝壁部５１の下端部に一体に連設された折曲げ片５３によって形成されていて、この折曲げ片５３に他方側の溝壁部６１の下端部が重ね合わされている。
【００２０】
図５のように、溝形のパネル保持部５０には、パネル２００の下端部２１０が差し込まれている。そして、連結手段７０によってパネル２００の下端部２１０が脚本体１０に連結されている。図７のように、連結手段７０は、溝形のパネル保持部５０に差し込まれたパネル２００の下端部２１０及び他方側の溝壁部６１にそれぞれ設けられた孔部２１２，６４に挿通された締付けねじ７１と、一方側の溝壁部５１に具備されたねじ孔７２とを有していて、締付けねじ７１には手動操作用把手７３が設けられている。この連結手段７０によると、手動操作用把手７３を手で掴んで締付けねじ７１を回転させることができるため、スパナなどの工具を用いずにパネル２００をパネル保持部５０に結合することができるという利便性がある。この第１具体例では、ねじ孔７２として、一方側の溝壁部５１に溶接で接合されたナット７４のねじ孔が利用されているけれども、この点は、一方側の溝壁部５１に直接に刻設したねじ孔を利用してもよい。また、一方側の溝壁部５１に孔部を設け、他方側の溝壁部６１にねじ孔を具備させておいてもよい。
【００２１】
第１具体例において、それぞれの板金製部材Ａ，Ａ’は、鉄板などの金属板を曲げ加工するだけで容易かつ安価に一体に製作することが可能であるだけでなく、それらの板金製部材Ａ，Ａ’を組み合わせることによって構成されたパネル用支持脚１００は、脚本体１０の左右一対の脚体１１，２１が板状であることにより、脚本体１０の重量を増加させて設置状態を安定させやすい。そのため、パネル用支持脚１００を人が押したときの外力やある程度の風圧を受けときなどでも、パネル用支持脚１００に取り付けられて自立しているパネル２００が容易に転倒したり移動したりすることを抑制することができる。脚本体１０が左右一対の傾斜した板状の脚体１１，２１によって側面視山形に形作られていることも設置状態を安定させることに役立つ。その上、左右一対の脚体１１，２１のそれぞれの前後２箇所のコーナー部が下方に突出する着地部１３，２３とされていることにより、平坦な床面に対しては、脚本体１０が４点でがたつきなく着地して安定した設置状態が得られる。さらに、パネル保持部５０に差し込まれたパネル２００の下端部２１０が、左右一対の板状の溝壁部５１，６１によって挟まれた状態で溝底部５２によって支えられ、しかも、連結手段７０によって当該パネル保持部５０に連結されるので、パネル２００ががたつきなく脚本体１０に取り付けられ、パネル２００の自立姿勢も確実に保持される。
【００２２】
特に、図６に示したように、パネル保持部５０の溝底部５２が着地部１３，２３よりも上位に位置しているために、パネル２００の重量による下向き荷重Ｆがパネル保持部５０を下方に変位させる作用を発揮し、その結果、左右一対の脚体１１，２１が左右一対の溝壁部５１，６１を矢印Ｆ１，Ｆ２のように押し付けるように作用してそれらの溝壁部５１，６１がパネル２００の下端部２１０を挟圧することになる。したがって、このことによっても、パネル２００ががたつきなく脚本体１０に取り付けられ、パネル２００の自立姿勢も確実に保持されるようになる。なお、図６に示した設置状態での床面からの溝底部５２の離間幅は、たとえば２０ｍｍ程度に定めておけばよい。
【００２３】
また、図８に示したように、２つ板金製部材Ａ，Ａ’をコンパクトに重ね合わせることができるために運搬することが容易であるという利便性も得られる。
【００２４】
［第２具体例］
図９は第２具体例に係るパネル用支持脚１００の使用状態の部分側面図である。第２具体例に係るパネル用支持脚１００は、脚本体１０及びパネル保持部５０が、鉄板などの１枚の金属板を折り曲げることによって形成された１つの板金製部材Ｂでなる。このパネル用支持脚１００において、図５に示した第１具体例と相違する点は、パネル保持部５０の左右一対の溝壁部５１，６１の両方の下端縁の相互間に亘っている溝底部５２が、左右の溝壁部５１，６１に折曲げ箇所を介して連設されている点だけである。その他の事項、具体的には、脚本体１０が左右一対の傾斜した板状の脚体１１，２１を有している点、これらの脚体１１，２１の下端縁の中間部を凹入形状に形成することによって前後２箇所のコーナー部を着地部１３，２３としている点、溝形のパネル保持部５０が、間隔を隔てて相対向する左右一対の起立姿勢の板状の溝壁部５１，６１及び溝底部５２を有し、一方側の溝壁部５１の上端縁が一方側の脚体１１の上端部に連設され、かつ、他方側の溝壁部６１の上端縁が他方側の脚体２１の上端部に連設されている点、パネル保持部５０の溝底部５２が着地部１３，２３よりも上位に位置している点、パネル保持部５０に差し込まれたパネル２００の下端部２１０とパネル保持部５０との連結手段７０を備える点、連結手段７０の具体的構成などは、第１具体例と同様である。
【００２５】
したがって、この第２具体例に係るパネル用支持脚１００によっても、鉄板などの金属板を曲げ加工するだけで容易かつ安価に一体に製作することが可能であり、脚本体１０の重量を増加させて設置状態を安定させやすくなり、平坦な床面に対して、脚本体１０が４点でがたつきなく着地して安定した設置状態が得られる、という作用、パネル保持部５０に差し込まれたパネル２００の下端部２１０ががたつきなく脚本体１０に取り付けられ、パネル２００の自立姿勢も確実に保持されるという作用、さらに、図６を参照して説明したような溝壁部５１，６１によるパネル２００の下端部２１０の挟圧作用も同様に得られる。
【符号の説明】
【００２６】
Ａ，Ａ’，Ｂ  板金製部材
１０  脚本体
１１，２１  脚体
１３，２３  着地部
５０  パネル保持部
５１．６１  溝壁部
５２  溝底部
５３  折曲げ片
６４，２１２  孔部
７０  連結手段
７２  ねじ孔
７３  手動操作用把手
１００  パネル用支持脚
２００  パネル
２１０  パネルの下端部
【図１】
0003228613.tif 000003
【図２】
0003228613.tif 000004
【図３】
0003228613.tif 000005
【図４】
0003228613.tif 000006
【図５】
0003228613.tif 000007
【図６】
0003228613.tif 000008
【図７】
0003228613.tif 000009
【図８】
0003228613.tif 000010
【図９】
0003228613.tif 000011